(57)【特許請求の範囲】
【請求項１】
キャスタを配設した什器における基部フレームに、揺動腕基端側を揺動可能に取り付けると共に、揺動腕先端側に床面に接地させる接地部材を設け、前記揺動腕は付勢手段を備えてこの付勢手段によって前記揺動腕先端の接地部材を床面から離脱状態に付勢する構成とし、前記揺動腕の中間箇所と前記基部フレーム間に揺動作動手段を設けてこの揺動作動手段を操作するための操作ペダルを設け、この操作ペダルを一方向に踏込み操作することで、前記揺動作動手段を連動させて前記揺動腕先端側を押し下げ、揺動腕先端側の接地部材を床面に接地させると共に、接地状態で保持する一方、前記操作ペダルを逆方向に踏込み操作することで、前記揺動腕先端側の接地部材を、付勢手段の付勢力を補助として、床面から離脱させる構成としたことを特徴とするキャスタを有する什器における停止保持機構。
【請求項２】
少なくとも前記基部フレームの短手方向に対向する箇所に、それぞれ、揺動腕と接地部材と揺動作動手段とこの揺動作動手段を操作するための操作ペダルとを設け、前記揺動作動手段は互いに連動可能に連結し、前記操作ペダルのうちいずれか一つを操作することで、全ての揺動作動手段を連動させて、接地部材を床面に接地させて接地状態で保持する一方、前記接地部材を、付勢手段の付勢力を補助として、床面から離脱させる構成としたことを特徴とする請求項１記載のキャスタを有する什器における停止保持機構。
【請求項３】
前記揺動作動手段は前記揺動腕の中間箇所に回動可能に取り付けた第１のリンクとこの第１リンクに屈曲可能に連結した第２リンクとを有し、この第２リンクは、基部フレームにおける短手フレーム両端側の双方の長手フレームに挿通配置した連動杆に固定して、この連動杆の両端側に、前記連動杆を回動操作するための操作ペダルを装着し、前記第１リンクと第２リンクとは、前記揺動腕先端の接地部材を床面から離脱した状態において、所定の鈍角をなす一方、前記接地部材を床面に当接した際に、前記第１リンクと第２リンクとは、一直線を形成するように設定し、操作ペダルを操作して、前記第１、第２リンクを伸展屈曲させることで揺動腕を揺動させて揺動腕先端の接地部材を床面に接地させて接地状態で保持する一方、前記接地部材を、付勢手段の付勢力を補助として、床面から離脱させる構成とし、前記基部フレームに第２リンクの作動範囲を規制する規制部材を設けてなることを特徴とする請求項１または２記載のキャスタを有する什器における停止保持機構。
【発明の詳細な説明】
【０００１】
【発明の属する技術分野】
本発明は、キャスタを有する什器、例えばベッド等（通常ベッド、病院用ベッド、ＩＣＵベッド、移送用ベッド）や、搬送カート等において、床面に押し付けることでベッド等を移動しないように停止状態で保持するようにした、キャスタを有する什器における停止保持機構に関するものである。
【０００２】
【従来の技術】
近年、ベッド等に備えられる備品が増加して、重量の増大を招いており、移動したりする取り扱い性の観点上、脚部における移動用キャスタは、必要不可欠のものとなっている。
かかるキャスタには、通常、ロック機構が設けられており、所定の位置にベッドを搬送したら、前記ロック機構を操作するためのペダルを踏み込んでキャスタをロックし、ベッドを動かないように固定するようにしている。
また最近では、ベッドにおけるキャスタのロック機構を一括して操作する機構を備えたものが製品化されている。かかる機構によれば、一括してキャスタのロック操作が可能であるので、手間がかからなく、操作性を向上させることができる。
【０００３】
【発明が解決しようとする課題】
しかしながら、前記一括ロック操作手段では、ロック機構を備えた一つ一つのキャスタを、連動機構によって連動ロック操作するものであるので、機構的にある程度複雑化し、且つ、連動機構を配置する関係上、基部フレーム廻りの高さが高くなってしまい、低床型ベッドには不適当である。
また、前記キャスタの単価が高く、コストアップの要因ともなっている。
本発明は以上のような観点から提案されたもので、キャスタを有するベッド等や、搬送カート等において、床面に押し付けることでベッド等を移動しないように停止状態で保持するようにした、キャスタを有する什器における停止保持機構を提供することを目的とする。
【０００４】
【課題を解決するための手段】
上述した課題を解決するために、本発明では、請求項１において、キャスタを配設した什器における基部フレームに、揺動腕基端側を揺動可能に取り付けると共に、揺動腕先端側に床面に接地させる接地部材を設け、前記揺動腕は付勢手段を備えてこの付勢手段によって前記揺動腕先端の接地部材を床面から離脱状態に付勢する構成とし、前記揺動腕の中間箇所と前記基部フレーム間に揺動作動手段を設けてこの揺動作動手段を操作するための操作ペダルを設け、この操作ペダルを一方向に踏込み操作することで、前記揺動作動手段を連動させて前記揺動腕先端側を押し下げ、揺動腕先端側の接地部材を床面に接地させると共に、接地状態で保持する一方、前記操作ペダルを逆方向に踏込み操作することで、前記揺動腕先端側の接地部材を、付勢手段の付勢力を補助として、床面から離脱させる構成としたキャスタを有する什器における停止保持機構を提案する。
また本発明では、請求項２において、少なくとも前記基部フレームの短手方向に対向する箇所に、それぞれ、揺動腕と接地部材と揺動作動手段とこの揺動作動手段を操作するための操作ペダルとを設け、前記揺動作動手段は互いに連動可能に連結し、前記操作ペダルのうちいずれか一つを操作することで、全ての揺動作動手段を連動させて、接地部材を床面に接地させて接地状態で保持する一方、前記接地部材を、付勢手段の付勢力を補助として、床面から離脱させる構成としたキャスタを有する什器における停止保持機構を提案する。
さらに本発明では、請求項３において、前記揺動作動手段は前記揺動腕の中間箇所に回動可能に取り付けた第１のリンクとこの第１リンクに屈曲可能に連結した第２リンクとを有し、この第２リンクは、基部フレームにおける短手フレーム両端側の双方の長手フレームに挿通配置した連動杆に固定して、この連動杆の両端側に、前記連動杆を回動操作するための操作ペダルを装着し、前記第１リンクと第２リンクとは、前記揺動腕先端の接地部材を床面から離脱した状態において、所定の鈍角をなす一方、前記接地部材を床面に当接した際に、前記第１リンクと第２リンクとは、一直線を形成するように設定し、操作ペダルを操作して、前記第１、第２リンクを伸展屈曲させることで揺動腕を揺動させて揺動腕先端の接地部材を床面に接地させて接地状態で保持する一方、前記接地部材を、付勢手段の付勢力を補助として、床面から離脱させる構成とし、前記基部フレームに第２リンクの作動範囲を規制する規制部材を設けてなるキャスタを有する什器における停止保持機構を提案する。
【０００５】
請求項１によれば、操作ペダルを踏込み操作するだけで、揺動作動手段を連動させて揺動腕先端側を押し下げ、揺動腕先端側の接地部材を床面に接地させると共に、接地状態で保持する一方、前記揺動腕先端側の接地部材を、付勢手段の付勢力を補助として、床面から離脱させる一連の動作が可能となる。
【０００６】
請求項２によれば、いずれかの操作ペダルを操作することで、全ての揺動作動手段を連動させて、接地部材を床面に接地させて接地状態で保持する一方、前記接地部材を、付勢手段の付勢力を補助として、床面から離脱させることができる。
【０００７】
請求項３によれば、操作ペダルを操作することで、第２リンクおよび第１リンクを、規制部材による規制された範囲内において、伸展屈曲させることで揺動腕を揺動させ、揺動腕先端の接地部材を床面に接地させて接地状態で保持する一方、前記接地部材を、付勢手段の付勢力を補助として、床面から離脱させることができる。
【０００８】
【発明の実施の形態】
次に、本発明にかかるキャスタを有する什器における停止保持機構について、ベッドに用いた一つの実施の形態を挙げ、添付の図面を基に以下説明する。
図１、図２に示すベッド１はギャッチベッド（ボトムの起伏機能を有するベッド）の一種で、このベッド１はキャスタ２を配設した基部フレーム３に、昇降脚部（図示省略）を介し、メインフレーム４、ボトム５を支持してなる構成のものである。前記メインフレーム４には、ボトム５を昇降させたり、ギャッチ動作（背上げ動作、膝上げ動作）を行わしめる周知の脚上げ機構（図示省略）、ギャッチ機構（図示省略）を搭載している。
【０００９】
前記基部フレーム３は、長手フレーム３ａと短手フレーム３ｂとで構成した全体が長方枠体形状のものであり、前記キャスタ２を長手フレーム３ａ両端側に装着している。なお、これらキャスタ２は、ロック機構を搭載していない周知の構造のものである。
そして、かかる基部フレーム３のベッド頭側の短手フレーム３ｂ近傍に、基部フレーム３、すなわちベッド１を停止状態に維持する停止保持機構６を設けている。
【００１０】
そこでこの停止保持機構６について、以下、詳細に説明する。
すなわち、停止保持機構６は、図３、図４に示すように、短手フレーム３ｂ両端側近傍の長手フレーム３ａに、末端を揺動可能に取り付けた揺動腕７，７と、これら揺動腕７，７先端に固定した、床面Ｆに接地させるための接地部材８，８とを有している。この場合、前記揺動腕７，７は、揺動腕７，７の末端側をばね部材９によって、揺動腕７，７先端の接地部材８，８を床面Ｆから浮かす方向に付勢した状態で設けられている。
そしてかかる揺動腕７，７は、揺動作動手段１０によって揺動腕７，７を揺動腕７，７先端の接地部材８，８を床面Ｆに押し付けたり、離脱させるようにしている。
【００１１】
前記接地部材８は、円盤形状のもので、接地面にウレタン等の摩擦部材Ｍを配している。
【００１２】
前記揺動作動手段１０は、揺動腕７，７の中間箇所に回動可能に取り付けた第１のリンク１１，１１とこの第１リンク１１，１１に屈曲可能に連結した第２リンク１２，１２とを有し、これら第２リンク１２，１２は、短手フレーム３ｂ両端側の双方の長手フレーム３ａ，３ａに挿通配置した連動杆１３に固定している。そして、この連動杆１３の両端側には、連動杆１３を回動操作するための操作ペダル１４，１４を装着している。
前記第１リンク１１，１１と第２リンク１２，１２とは、図５に示すように揺動腕７，７先端の接地部材８，８を床面Ｆから離脱した状態において、所定の角度（鈍角）をなすように設定している。
また、図６に示すように接地部材８，８を床面Ｆに当接した際に、前記第１リンク１１，１１と第２リンク１２，１２とは、一直線を形成するように設定している。
そして、前記操作ペダル１４は、短冊状の踏込部１４ａと踏込部１４ａ中間に突設した連動腕１４ｂとを有し、この連動腕１４ｂ先端に前記連動杆１３を固定している。
なお、基部フレーム３における長手フレーム３ａには、揺動作動手段１０における第２リンク１２の作動範囲、すなわち操作ペダル１４の操作範囲を規制する規制部材１５，１５を突設している（図３参照）。
【００１３】
本発明にかかるキャスタを有する什器における停止保持機構は、以上のように構成されるものであり、次に、その作用について説明する。
通常時は、停止保持機構６における揺動腕７，７先端の接地部材８，８は、ばね部材９によって、床面Ｆから浮かした状態で保持されている（図１、図５参照）。この状態では、ベッド１は、ロック機構を搭載していないキャスタ２を用いているので、自由に動かすことができる。
【００１４】
ここでベッド１を設置場所で動かないようにするために、いずれかの操作ペダル１４の踏込部１４ａを踏込み操作を行うと、連動腕１４ｂが変位し、連動杆１３を介して第１リンク１１と第２リンク１２が連動変位する。
この場合、第１、第２リンク１１，１２は、所定の角度で屈曲した状態から、一直線状となるように変位していく。これによって、揺動腕７は、先端側が押し下げられていき、接地部材８が床面Ｆに接地する。
前記接地部材８が接地する際に、前記第１、第２リンク１１，１２は、ほぼ一直線状態となり、接地部材８は、トグル作用によって床面Ｆに最大限の圧接力で圧接状態となる（図６参照）。
【００１５】
そしてさらに、操作ペダル１４の踏込部１４ａを踏込み操作を続行することで、踏込部１４ａがさらに変位して、連動杆１３を介して第１リンク１１と第２リンク１２が連動変位し、第２リンク１２が規制部材１５に当接したところで、操作ペダル１４は操作可能な限界位置に至る（図７参照）。
かかる状態において、前記第１、第２リンク１１，１２は、当初の屈曲状態から逆側に屈曲した状態となる。この場合、接地部材８は、床面Ｆに圧接状態にあるものの、図６に示した、一直線状にある第１、第２リンク１１，１２における圧接力に比較して小さくなる。このため、接地部材８は床面Ｆに圧接した状態で保持され、操作ペダル１４の踏込み操作をやめても、停止保持機構６は元に戻ることはない。
【００１６】
そして、停止保持機構６によるベッド１の拘束状態を解除するには、前記操作ペダル１４の踏込部１４ａを逆に踏込み操作して、第１、第２リンク１１，１２が一直線状態を乗り越えてから元の屈曲側に変位するまで操作すれば、揺動腕７末端側のばね部材９の補助力によって、図５に示す解除状態まで復帰させることができる。
なお、一方の操作ペダル１４の踏込部１４ａを踏込み操作すれば、連動杆１３を介して設けられた対向する停止保持機構６も連動させることができ、一回の操作で済み、操作性はよい。
【００１７】
以上、本発明にかかるキャスタを有する什器における停止保持機構について、一つの実施形態を示し、説明したが、停止保持機構６は、基部フレーム３のベッド頭側だけではなく、図８に示すようにベッド足側にも設けて、ベッド頭側とベッド足側における停止保持機構６の連動杆１３，１３を、突腕１６，１６、連動棒１７で構成される連動機構により連結して、全ての停止保持機構６を連動させるようにしてもよい。
また、他のキャスタを有する病院用備品、家具類等の什器においても、実施可能であることは勿論である。
【００１８】
【発明の効果】
以上の通り、本発明によれば、
１．例えば低床型ベッドに適した停止保持機構を提供することができる。
２．ロック機構を備えていないキャスタでよく、コストを低減することができる。
【００１９】
【図面の簡単な説明】
【図１】本発明にかかるキャスタを有する什器における停止保持機構を用いた、ベッドの一例を示す全体側面図である。
【図２】図１に示すベッドの平面図である。
【図３】図１に示すベッドの停止保持機構の要部拡大平面図である。
【図４】図１に示すベッドの停止保持機構の要部拡大側面図である。
【図５】図１に示すベッドの停止保持機構の作用側面説明図である。
【図６】図１に示すベッドの停止保持機構の作用側面説明図である。
【図７】図１に示すベッドの停止保持機構の作用側面説明図である。
【図８】本発明にかかるキャスタを有する什器における停止保持機構を用いた、ベッドの別例を示す全体側面図である。
【符号の説明】
１                            ベッド
２                            キャスタ
３                            基部フレーム
３ａ                          長手フレーム
３ｂ                          短手フレーム
４                            メインフレーム
５                            ボトム
６                            停止保持機構
７                            揺動腕
８                            接地部材
９                            ばね部材
１０                          揺動作動手段
１１                          第１リンク
１２                          第２リンク
１３                          連動杆
１４                          操作ペダル
１４ａ                        踏込部
１４ｂ                        連動腕
１５                          規制部材
１６                          突腕
１７                          連動棒
【図１】
0003560236.tif 000002
【図２】
0003560236.tif 000003
【図３】
0003560236.tif 000004
【図４】
0003560236.tif 000005
【図５】
0003560236.tif 000006
【図６】
0003560236.tif 000007
【図７】
0003560236.tif 000008
【図８】
0003560236.tif 000009